(57)【要約】
【課題】より簡単に製作や組合せや構成の強化及び張寿命化を図ることができる連接端子の改良構成を提供する。
【解決手段】本考案は、回路板に配置される端子であって、外部に位置する電池の電極との接触に使われる連接端子の改良構成であり、当該端子には、格納槽を有し、両端には、其々に当該格納槽を貫通する第１の開口及び第2の開口が設けられ、当該第1の開口には、制限部が環設される本体と、本体の一端に配置され、第1の開口から露出し、一端にはストッパ部が環設される接触部と、本体の第2の開口に設けられる一対のピンと、当該接触部とピンとの間に制限される弾性素子と、がある。
【選択図】図２
0003100355.tif 000002
【実用新案登録請求の範囲】
【請求項１】
回路板に配置される当該端子を、外部に位置する電池の電極との接触に供する連接端子の改良構成であって、
格納槽を有し、両端には其々に当該格納槽を貫通する第１の開口及び第2の開口が設けられ、当該第1の開口には制限部が環設されて、一端が少しずつ縮小する本体と、
上記本体の格納槽の一端に配置され、第1の開口から露出し、一端には、上記制限部の内側縁に対応するストッパ部が環設される接触部と、
上記本体の第2の開口に設けられる一対のピンと、
上記本体の格納槽において、当該接触部とピンとの間に制限され、一端が、接触部の一端面に当接して、もう一端が、ピンの一端面に当接する弾性素子と、があり、
上記の構成により、当該端子をより簡単に製作や組み合わせすることだけでなく、当該端子の構成の強化や長寿命化ができることを特徴とする。
【考案の詳細な説明】
【技術分野】
【０００１】
　本考案は、連接端子の改良構成に関し、特に、より簡単に製作や組み合わせ、当該端子構成の強化及び当該端子の長寿命化ができる連接端子に関する。
【背景技術】
【０００２】
　一般に、従来の端子の構成（図4のように）は、スリーブ５０と接触部５１とから構成され、当該スリーブと接触部との間には、スプリング５２が設置されて、当該スリーブ５０の両端に其々閉鎖面５０２と開口５０１とが設けられ、当該端子は、当該閉鎖面５０２が回路板に半田されることにより構成され、外部に位置する電池の電極と接触することに用いられ、組み合わせをする時、まず、スプリング５２が、スリーブ５０の一端にある開口５０１から入れられ、その後、接触部５１が入れられ、接触部５１が当該スリーブ５０内に位置してから、最後に、ツール（或いは治具）により、当該スリーブ５０の一端にある開口５０１を、グリップする動作で、当該開口５０１を続ぎ合わせて、以上のようにして、端子が構成される。
【０００３】
　しかしながら、上記の端子は、回路板に半田されて、外部に位置する電池の電極との接触に使用されることができても、当該端子の構成体積が小さいし、組み合わせする時、ツール（或いは治具）で当該スリーブ５０の一端にある開口５０１を、グリップする動作により、当該開口５０１を続ぎ合わせする必要があるので、ツール（或いは治具）を使用する時、力の制御が不当であるため、製作や組み合わせする時、端子が壊れたり、不正に続ぎ合わせしたりする現象が起こし、当該端子を、製作や組み合わせする時の歩留まりが悪くなり、また、当該ツール（或いは治具）で、当該スリーブの一端にある開口５０１に対して、ただ一つのグリップで続ぎ合わせするのであるため、長期に往復する動作が必要とする接触部５１にとって、ある期間後、当該端子は、容易に続ぎ合わせの開口５０１が広がる恐れがあるから、外部に位置する電池の電極との接触ができなくなって、上記の従来の端子構造は、実用化に不十分である。
【考案の開示】
【考案が解決しようとする課題】
【０００４】
　本考案の主な目的は、より簡単に当該端子を製作や組み合わせすることができる連続端子の改良構成を提供する。
【０００５】
　本考案のもう一つの目的は、当該端子の構成を強化して、当該端子の耐用寿命を延ばすことができる連続端子の改良構成を提供する。
【課題を解決するための手段】
【０００６】
　上記の目的を達成するには、本考案の連接端子の改良構成は、回路板に配置される当該端子を、外部に位置する電池の電極との接触に供する連接端子の改良構成であって、
格納槽を有し、両端には其々に当該格納槽を貫通する第１の開口及び第2の開口が設けられ、当該第1の開口には制限部が環設される本体と、
上記本体の格納槽の一端に配置され、第1の開口から露出し、一端には、上記制限部の内側に対応するストッパ部が環設される接触部と、
上記本体の第2の開口に設けられる一対のピンと、
上記本体の格納槽において、当該接触部とピンとの間に制限され、一端が、接触部の一端面に当接して、もう一端が、ピンの一端面に当接する弾性素子と、があり
上記の構成により、当該端子をより簡単に製作や組み合わせすることだけでなく、当該端子の構成の強化や長寿命化ができる。　
【考案の効果】
【０００７】
　本考案により、端子をより簡単に製作や組合せすることができるだけでなく、当該端子の構成の強化や張寿命化ができる。
【考案を実施するための最良の形態】
【０００８】
　図１、２、３は、其々に、本考案の立体外観概念図で、本考案の立体分解概念図で、本考案の断面状態概念図である。図のように、本考案は、連接端子の改良構成であり、回路板に配置される当該端子を、外部に位置する電池の電極（図に未表示）との接触に供し、本体１と、接触部２と、ピン３と、弾性素子４とからなり、当該端子をより簡単に製作や組み合わせすることだけでなく、当該端子の構成の強化や長寿命化ができる。
【０００９】
　上記の本体１は、格納槽１１を有し、両端には、其々に当該格納槽１１を貫通する第1の開口１１１及び第2の開口１１２が設けられ、当該第１の開口１１１には、制限部１１３が環設され、その一端が少しずつ縮小していく。
【００１０】
　当該接触部２は、上記本体１の格納槽１１の一端に配置され、当該第1の開口１１１から露出し、一端には、ストッパ部２１が環設され、また、当該ストッパ部２１が上記制限部１１３の内側縁に対応しているので、これにより、格納槽１１の一端にある第1の開口１１１に制限される。
【００１１】
　当該ピン３は、上記本体１の第2の開口１１２に組み立てられ、一端が少しずつ縮小していて、これにより、より容易に第2の開口１１２に導入される。
【００１２】
当該弾性素子４は、上記本体１の格納槽１１内に設置され、当該接触部２とピン３との間に制限され、一端が、接触部２の一端面に当接し、もう一端が、ピン３の一端面に当接して、これにより、当該接触部２が往復に伸縮することができ、また、当該接触部２のストッパ部２１と本体１の第1の開口１１１の制限部１１３により限制されることにより、当該接触部２が本体１の第1の開口１１１から離れずになり、上記の構成で、新しい連接端子の改良構成ができる。
【００１３】
　当該弾性素子４は、上記本体１の格納槽１１内に設置され、当該接触部２とピン３との間に制限され、一端が、接触部２の一端面に当接し、もう一端が、ピン３の一端面に当接して、これにより、当該接触部２が往復に伸縮することができ、また、当該接触部２のストッパ部２１と本体１の第1の開口１１１の制限部１１３により限制されることにより、当該接触部２が本体１の第1の開口１１１から離れずになり、上記の構成で、新しい連接端子の改良構成ができる。
【００１４】
　以上の詳しい説明から、本技術を良く分かる熟練者は、本考案が明確に前記目的を達成できることが分かり、実用新案に関する法に従って、出願する。
【図面の簡単な説明】
【００１５】
　　本考案の立体外観概念図である。
【図２】本考案の立体分解概念図である。
【図３】本考案の断面状態概念図である。
【図４】従来の端子の概念図である。
【符号の説明】
【００１６】
1  本体
11  格納槽
111  第1の開口
112  第2の開口
113  制限部
2  接触部
21   ストッパ部
3 ピン
4 弾性素子
50　　　スリーブ
51　　　接触部
52　　　スプリング
501　　開口
閉鎖面
【図１】
0003100355.tif 000003
【図２】
0003100355.tif 000004
【図３】
0003100355.tif 000005
【図４】
0003100355.tif 000006
【手続補正書】
【提出日】平成15年10月8日(2003.10.8)
【手続補正１】
【補正対象書類名】明細書
【補正対象項目名】００１５
【補正方法】変更
【補正の内容】
【００１５】
【図１】本考案の立体外観概念図である。
【図２】本考案の立体分解概念図である。
【図３】本考案の断面状態概念図である。
【図４】従来の端子の概念図である。